(57)【要約】【課題】Ｘ線造影糸が抜け難いＸ線造影糸入りガーゼを得る。【解決手段】綿素材から成る縦糸１１と横糸１２を交互に交差したガーゼ生地１３を平織りする際に、縦糸１１と平行にＸ線透過性を有しないＸ線造影糸１４を織り込む。この際に、Ｘ線造影糸１４の両側にＸ線造影糸１４と略同径の綿素材から成る補助糸１５を織り込むことにより、Ｘ線造影糸１４に対する横糸１２の張り角が大きくなり、Ｘ線造影糸１４に接する横糸１２の沿面距離が増加し、横糸１２の抵抗が増加しＸ線造影糸１４が抜け難くなる。【選択図】図１
2009039333.tif 000002
【特許請求の範囲】
【請求項１】
多数本のガーゼ糸を縦横に交差して平織りしたガーゼにおいて、縦方向に前記ガーゼ糸よりも大径のＸ線造影糸を織り込み、該Ｘ線造影糸の両側に間隔をおいて前記ガーゼ糸よりも大径の補助糸を配置したことを特徴とするＸ線造影糸入りガーゼ。
【請求項２】
前記Ｘ線造影糸は前記補助糸と同径としたことを特徴とする請求項１に記載のＸ線造影糸入りガーゼ。
【請求項３】
複数本の前記Ｘ線造影糸を前記補助糸と並べて織り込んだことを特徴とする請求項１又は２に請求項に記載のＸ線造影糸入りガーゼ。
【発明の詳細な説明】
【技術分野】
【０００１】
本発明は、例えば外科手術の際に、血液や体液を吸収するために使用するＸ線造影糸入りガーゼに関するものである。
【背景技術】
【０００２】
従来から外科手術においては、血液や体液を吸収するためにガーゼを用いているが、このガーゼは使用後に吸収された血液の色に紛れて回収することを忘れてしまう虞れがある。
【０００３】
これを防止するために、図７、図８に示すようにポリプロピレン等の合成樹脂から成るＸ線造影糸１が織り込まれたＸ線造影糸入りガーゼ２が使用されており、仮に臓器に紛れ体内に置き忘れた場合においても、術後のＸ線検査で発見することができる。
【発明の開示】
【発明が解決しようとする課題】
【０００４】
一般に、Ｘ線透過性を有しないＸ線造影糸１は、術後のＸ線検査で検出するために、ガーゼ２の縦糸３、横糸４の直径よりも相当に太い糸が用いられている。
【０００５】
しかし、単にガーゼ２の縦糸３と横糸４と共に上述のＸ線造影糸１を織り込んでも、ガーゼ２から合成樹脂製の滑り易いＸ線造影糸１が抜け易いという問題を有している。
【０００６】
例えば、太径のＸ線造影糸１を縦糸３と平行に織り込んだ場合に、縦糸３からＸ線造影糸１にかけての縦糸３とＸ線造影糸１の外径同士を結ぶ接線、つまりは横糸４の傾斜角は小さく、横糸４がＸ線造影糸１に接する距離、即ち沿面距離は短く、この従来例の図７からはＸ線造影糸の円周上に僅かに横糸４が接するだけであり、このため、Ｘ線造影糸１の引き抜きに対する横糸４の摩擦力による抵抗が小さく、引き抜き易いことになる。
【０００７】
この問題を解決するために、特許文献１においては、Ｘ線造影糸に隣接する複数本のガーゼ生地の縦糸をＸ線造影糸と平行に密に配置することにより、横糸を補強し、Ｘ線造影糸に対する横糸による絞め付けを強くして抜け難くしている。
【０００８】
また特許文献２においては、Ｘ線造影糸の片側にＸ線造影糸とほぼ同径の補助糸をＸ線造影糸と密に接して平織りすることにより、Ｘ線造影糸に対する摩擦抵抗を増加させて、Ｘ線造影糸を抜け難くしている。
【０００９】
【特許文献１】特開２００７−２０７３３号公報
【特許文献２】実用新案登録第３１３０５３８号公報
【００１０】
しかし、特許文献１、２の何れのＸ線造影糸入りガーゼにおいても、Ｘ線造影糸と隣接する１本又は数本の糸を密に織り込む必要があり、Ｘ線造影糸の近傍の糸のピッチを変えるという特殊な織機が必要となり、製造工程が複雑になって、製造コストが高くなるという問題を有している。
【００１１】
本発明の目的は、上述の課題を解決し、汎用の織機で製造可能で、Ｘ線造影糸が抜け難いＸ線造影糸入りガーゼを提供することにある。
【課題を解決するための手段】
【００１２】
上記目的を達成するための本発明に係るＸ線造影糸入りガーゼの技術的特徴は、多数本のガーゼ糸を縦横に交差して平織りしたガーゼにおいて、縦方向に前記ガーゼ糸よりも大径のＸ線造影糸を織り込み、該Ｘ線造影糸の両側に間隔をおいて前記ガーゼ糸よりも大径の補助糸を配置したことにある。
【発明の効果】
【００１３】
本発明に係るＸ線造影糸入りガーゼによれば、Ｘ線造影糸の両側に間隔をおいて補助糸を配置し、補助糸をガーゼ糸よりも太い糸とすることにより、Ｘ線造影糸と交差するガーゼ糸との接触沿面距離を増加させて摩擦抵抗を大きくし、ガーゼからＸ線造影糸を抜け難くすることができる。
【発明を実施するための最良の形態】
【００１４】
本発明を図示の実施の形態に基づいて詳細に説明する。
【実施例１】
【００１５】
図１はＸ線造影糸入りガーゼを正面から見た部分拡大図、図２は断面図をそれぞれ示し、従来例の図５、図７と糸のピッチを同じに画いている。例えば、太さが４０番手（約４５４ｇ当り約３０７２０ｍの太さの糸）の綿素材から成る縦糸１１と横糸１２を交互に交差し、幅が約３０ｃｍのガーゼ生地１３が平織りされ、長さ３０ｃｍ程度に切断され使用されている。
【００１６】
このガーゼ生地１３には、例えば端から１０〜２０％の位置に、縦糸１１と平行にＸ線透過性を有しないＸ線造影糸１４が織り込まれており、更にその両側にはＸ線造影糸１４と間隔をおいて太糸の補助糸１５が織り込まれている。この補助糸１５は例えば３本の２０番手（約４５４ｇ当り約１５３６０ｍの太さの糸）の綿素材から成る糸を撚ったものであり、Ｘ線造影糸１４と略同径とすることが好ましい。なお、本実施例において補助糸１５は３本の糸を撚ったものを用いたが、３本以上の糸を撚ってもよいし、撚っていない糸を用いてもよい。
【００１７】
このように、Ｘ線造影糸１４の両側に、Ｘ線造影糸１４と略同径の補助糸１５を１本ずつ織り込むことにより、張り渡された横糸１２の高低差が大きくなり、Ｘ線造影糸１４に接する横糸１２の接触沿面距離が増加し、Ｘ線造影糸１４の円周に対し横糸１２が従来例よりも長い距離で接することになる。補助糸１５は縦糸１１、横糸１２と同様の素材で滑り抵抗は小さく、横糸１２はＸ線造影糸１４に対して摩擦抵抗を与え、従来例に比較してＸ線造影糸１４が抜け難くなる。
【００１８】
また、補助糸１５の太さはＸ線造影糸１４と略同径でなくてもよく、縦糸１１よりも大径であれば、従来例のようなガーゼ生地中に単にＸ線造影糸１４を織り込んだ場合よりも効果がある。
【００１９】
この効果を図３に用いて具体的な数値例により説明する。半径ＲのＸ線造影糸１４に対して、半径ｒの近接糸Ｓが縦方向に平行にピッチＰの間隔で配置され、これらに直径ｄの横糸１２が織り込まれているものとする。ここで、近接糸Ｓを補助糸１５とすれば図１、図２に示す実施例と同様であり、近接糸Ｓを縦糸１１とすれば図７、図８に示す従来例と同様となる。
【００２０】
横糸１２はＸ線造影糸１４、近接糸Ｓに対して接線方向に張られている。なお、Ｘ線造影糸１４に接する横糸１２の内側の線分Ａを基準として考え、計算を容易とするために、近接糸Ｓは横糸１２の直径ｄだけ点線で示すように左側に移動して、近接糸Ｓ’が横糸１２の線分Ａに接するように近似する。
【００２１】
ここで、Ｘ線造影糸１４の中心点と近接糸Ｓ’の中心点とを結ぶ線分をＢとし、線分Ａと線分Ｂとの交点をＣとする。また、線分ＡにおけるＸ線造影糸１４及び近接糸Ｓ’との接点とそれぞれの糸１４、Ｓ’の中心点を結ぶ線分が線分Ｂに対して成す角度は同じであり、これをαとする。
【００２２】
Ｘ線造影糸１４の中心点と交点Ｃの距離は、（Ｐ−ｄ）Ｒ／（Ｒ＋ｒ）である。そして、次の式（１）が成立する。
｛（Ｐ−ｄ）Ｒ／（Ｒ＋ｒ）｝ｃｏｓα＝Ｒ
∴  ｃｏｓα＝（Ｒ＋ｒ）／（Ｐ−ｄ）                            ・・・（１）
【００２３】
いま、近接糸Ｓが実施例１の補助糸１５であって、Ｘ線造影糸１４と同径であれば、ｒ＝Ｒであるから、式（１）は次の式（２）となる。
ｃｏｓα＝２Ｒ／（Ｐ−ｄ）                                      ・・・（２）
【００２４】
また、近接糸Ｓが縦糸１１であって、横糸１２と同径であれば、ｄ＝２ｒであるから、式（１）は次の式（３）となる。
ｃｏｓα＝（Ｒ＋ｄ／２）／（Ｐ−ｄ）                            ・・・（３）
【００２５】
ここで具体的に、例えばＰ＝３Ｒ、ｄ＝Ｒ／２とすると、式（２）において、ｃｏｓα＝２Ｒ／（３Ｒ−Ｒ／２）＝２／２．５＝０．８となり、α＝３６．９度となる。
【００２６】
一方、従来例のように近接糸Ｓが縦糸１１であって、同様にＰ＝３Ｒ、ｄ＝Ｒ／２とすると、式（３）はｃｏｓα＝（Ｒ＋Ｒ／４）／（３Ｒ−Ｒ／２）＝１．２５／２．５＝０．５となり、α＝６０度となる。
【００２７】
Ｘ線造影糸１４の左側にも近接糸Ｓがあるので、横糸１２がＸ線造影糸１４に接する角度θは、θ＝（１８０−２α）であり、実施例１においてはθ＝１０６．２度となり、従来例においてはθ＝６０度となる。
【００２８】
このように、実施例１においては横糸１２は１０６．２度に渡り、つまり円周に対し約３０％の沿面距離でＸ線造影糸１４と接することになる。一方、従来例においては、６０度、つまり円周の約１７％の沿面距離で接することになり、横糸１２による摩擦抵抗は、実施例１では従来例よりも１０６．２／６０＝１．７７倍となり、その分だけＸ線造影糸１４が抜け難くなる。
【００２９】
なお、表１の（１）はＰとｄをＸ線造影糸１４の半径Ｒに対して、あり得る大きさについて算出した角度θを示している。ただし、（２）は既に説明した数値例である。
【００３０】
Ｐ          ｄ        実施例の角度θ        従来例の角度θ
（１）    ３Ｒ      ２Ｒ／３      １１６．４            ６９．５
（２）    ３Ｒ      Ｒ／２        １０６．２            ６０．０
（３）    ３Ｒ      Ｒ／３          ９７．２            ５０．９
（４）    ４Ｒ      ２Ｒ／３        ７３．８            ４７．２
（５）    ４Ｒ      Ｒ／２          ６９．５            ４２．２
（６）    ４Ｒ      Ｒ／３          ６６．８            ３６．２
【００３１】
何れの場合においても、実施例の角度θは従来例の角度θに対して、１．５倍以上の大きさを有し、沿面距離は１．５倍以上となるので、横糸１２によるＸ線造影糸１４に対する摩擦抵抗も１．５倍以上となる。
【実施例２】
【００３２】
実施例１においては、１本のＸ線造影糸１４の両側に補助糸１５を配置したが、実施例２においては、図４、図５に示すように２本のＸ線造影糸１４を並べ、これらの２本のＸ線造影糸１４の両側にそれぞれ補助糸１５を配置することにより、ガーゼ生地１３’が製造されている。
【００３３】
このように２本のＸ線造影糸１４を並べ、これらのＸ線造影糸１４の両側に同径の補助糸１５を配置すれば、それぞれのＸ線造影糸１４に対して、横糸１２は実施例１のように作用するので、Ｘ線造影糸１４は抜け難くなる。
【００３４】
また、２本のＸ線造影糸１４を用いたことにより、術後のＸ線検査において、Ｘ線造影糸１４をより鮮明に認識することができる。この場合においても、実施例１と同様に、Ｘ線造影糸１４は抜け難くなる。
【００３５】
なお、実施例２においては２本のＸ線造影糸１４を用いたが、３本以上のＸ線造影糸１４に対しても勿論適用することができる。
【実施例３】
【００３６】
図６は本実施例３におけるＸ線造影糸入りガーゼの正面から見た部分拡大図を示しており、２本のＸ線造影糸１４と３本の補助糸１５を交互になるように配置することによりガーゼ生地１３”が製造されている。
【図面の簡単な説明】
【００３７】
【図１】実施例１のＸ線造影糸入りガーゼの部分拡大図である。
【図２】Ｘ線造影糸入りガーゼの部分断面図である。
【図３】横糸がＸ線造影糸に接する角度を求める説明図である。
【図４】実施例２のＸ線造影糸入りガーゼの部分拡大図である。
【図５】Ｘ線造影糸入りガーゼの部分断面図である。
【図６】実施例３のＸ線造影糸入りガーゼの部分拡大図である。
【図７】従来例のＸ線造影糸入りガーゼの部分拡大図である。
【図８】従来例のＸ線造影糸入りガーゼの部分断面図である。
【符号の説明】
【００３８】
１１  縦糸
１２  横糸
１３、１３’、１３”  ガーゼ生地
１４  Ｘ線造影糸
１５  補助糸
【図１】
2009039333.tif 000003
【図２】
2009039333.tif 000004
【図３】
2009039333.tif 000005
【図４】
2009039333.tif 000006
【図５】
2009039333.tif 000007
【図６】
2009039333.tif 000008
【図７】
2009039333.tif 000009
【図８】
2009039333.tif 000010